(57)【要約】【課題】顧客の幅広いニーズに対応したサービスを行うことができるプリント方法、およびプリントシステムを提供する。【解決手段】プリントシステム２では、画像のシーンを表す少なくとも１つの抽出条件を含む、画像を分類するための分類条件を操作入力部１６で指定し、画像のデータを解析して、指定された抽出条件のシーンを有する画像を抽出回路５１で抽出して、抽出された画像をプリンタ部１２およびプロセッサ部１３でプリントし、分類条件毎にプリントを纏めて袋詰め部１４で袋詰めする。【選択図】図１
2007121739.tif 000002
【特許請求の範囲】
【請求項１】
注文に応じて画像のプリントを作成するプリント方法であって、
画像のシーンを表す少なくとも１つの抽出条件を含む、画像を分類するための分類条件を指定する指定工程と、
画像のデータを解析して、指定された抽出条件のシーンを有する画像を抽出する抽出工程と、
抽出された画像をプリントするプリント工程と、
分類条件毎にプリントを纏めて袋詰めする袋詰め工程とを備えたことを特徴とするプリント方法。
【請求項２】
前記指定工程では、前記抽出条件として人物の顔が指定可能であり、
前記指定工程で人物の顔が指定された場合、
前記プリント工程では、前記抽出工程で抽出された人物の顔の中から探索した同一人物毎にプリントを行い、
前記袋詰め工程では、前記同一人物毎にプリントを纏めて袋詰めすることを特徴とする請求項１に記載のプリント方法。
【請求項３】
前記指定工程では、前記分類条件として画像のデータに付加された撮影日を指定可能であり、
前記指定工程で前記撮影日が指定された場合、
前記袋詰め工程では、前記撮影日毎にプリントを纏めて袋詰めすることを特徴とする請求項１または２に記載のプリント方法。
【請求項４】
前記指定工程では、複数の分類条件を互いに組み合わせて指定可能であり、
前記指定工程で複数の分類条件が互いに組み合わせて指定された場合、
前記袋詰め工程では、互いに組み合わされた複数の分類条件で抽出された画像のプリントを纏めて袋詰めすることを特徴とする請求項１ないし３のいずれかに記載のプリント方法。
【請求項５】
前記指定工程では、前記分類条件の指定を手動入力により得る、または／および前記分類条件の指定を通信ネットワークを介して受信することを特徴とする請求項１ないし４のいずれかに記載のプリント方法。
【請求項６】
注文に応じて画像のプリントを作成するプリント部およびプロセッサ部を有するプリントシステムであって、
画像のシーンを表す少なくとも１つの抽出条件を含む、画像を分類するための分類条件を指定する指定部と、
画像のデータを解析して、指定された抽出条件のシーンを有する画像を抽出する抽出部と、
分類条件毎にプリントを纏めて袋詰めする袋詰め部とを備え、
前記プリント部および前記プロセッサ部は、前記抽出部で抽出された画像をプリントすることを特徴とするプリントシステム。
【請求項７】
前記指定部では、前記抽出条件として人物の顔が指定可能であり、
前記指定部で人物の顔が指定された場合、
前記プリント部および前記プロセッサ部は、前記抽出部で抽出された人物の顔の中から探索した同一人物毎にプリントを行い、
前記袋詰め部は、前記同一人物毎にプリントを纏めて袋詰めすることを特徴とする請求項６に記載のプリントシステム。
【請求項８】
前記指定部では、前記分類条件として画像のデータに付加された撮影日を指定可能であり、
前記指定部で前記撮影日が指定された場合、
前記袋詰め部は、前記撮影日毎にプリントを纏めて袋詰めすることを特徴とする請求項６または７に記載のプリントシステム。
【請求項９】
前記指定部では、複数の分類条件を互いに組み合わせて指定可能であり、
前記指定部で複数の分類条件が互いに組み合わせて指定された場合、
前記袋詰め部は、互いに組み合わされた複数の分類条件で抽出された画像のプリントを纏めて袋詰めすることを特徴とする請求項６ないし８のいずれかに記載のプリントシステム。
【請求項１０】
前記指定部は、前記分類条件の指定を手動入力する操作入力部、または／および前記分類条件の指定を通信ネットワークを介して受信する通信部であることを特徴とする請求項６ないし９のいずれかに記載のプリントシステム。
【請求項１１】
注文に応じて画像のプリントを作成するプリンタであって、
画像のシーンを表す少なくとも１つの抽出条件を含む、画像を分類するための分類条件の指定を、通信ネットワークを介して受信する通信部と、
画像のデータを解析して、指定された抽出条件のシーンを有する画像を抽出する抽出部と、
分類条件毎にプリントを纏めて袋詰めする袋詰め部とを備え、
前記抽出部で抽出された画像をプリントすることを特徴とするプリンタ。
【請求項１２】
前記抽出条件として人物の顔が指定可能であり、
人物の顔が指定された場合、
前記抽出部で抽出された人物の顔の中から探索した同一人物毎にプリントを行い、
前記袋詰め部は、前記同一人物毎にプリントを纏めて袋詰めすることを特徴とする請求項１１に記載のプリンタ。
【請求項１３】
前記分類条件として画像のデータに付加された撮影日を指定可能であり、
前記撮影日が指定された場合、
前記袋詰め部は、前記撮影日毎にプリントを纏めて袋詰めすることを特徴とする請求項１１または１２に記載のプリンタ。
【請求項１４】
複数の分類条件を互いに組み合わせて指定可能であり、
複数の分類条件が互いに組み合わせて指定された場合、
前記袋詰め部は、互いに組み合わされた複数の分類条件で抽出された画像のプリントを纏めて袋詰めすることを特徴とする請求項１１ないし１３のいずれかに記載のプリンタ。
【請求項１５】
前記分類条件の指定を手動入力する操作入力部を備えたことを特徴とする請求項１１ないし１４のいずれかに記載のプリンタ。
【発明の詳細な説明】
【技術分野】
【０００１】
本発明は、注文に応じて画像のプリントを作成するプリント方法、およびプリントシステム、並びにプリンタに関する。
【背景技術】
【０００２】
従来から、撮影済みの写真フイルムや、デジタルカメラで撮影した画像のデジタルデータが記憶されたメモリカードやＣＤ−Ｒなどの記憶媒体を街頭のＤＰＥ店に持ち込み、画像のプリントや焼き増しを注文するプリントサービスが普及している。このようなプリントサービスでは、ＤＰＥ店などに設置されるいわゆるミニラボと呼ばれるプリンタプロセッサで、注文に応じた画像のプリントを半自動で行っている。
【０００３】
例えば集合写真などのプリントを注文する際には、その画像に写った人数分の枚数を注文するのが普通である。この場合、従来は、顧客が画像を実際に見て、その中から人物が写っている画像をピックアップし、その画像の人数をカウントするなどして焼き増しプリントの枚数指定を行っていた。このため、注文する画像が多いときには、この作業が煩雑であるという問題があった。特に、最近では、メモリカードの大容量化に伴い、デジタルカメラで記憶することが可能な画像の数が増加しており、この問題は無視できないものとなっている。
【０００４】
そこで、顧客の手間を省くために、画像を分析して顔領域を抽出し、抽出した顔領域の数をカウントして人数情報を生成し、この人数情報を画像とともに記憶するデジタルカメラが提案されている（特許文献１参照）。このデジタルカメラによれば、人数情報をプリント注文時の枚数情報として利用することができ、プリント注文時の枚数指定の煩雑さを軽減することができる。
【特許文献１】特開２００４−１４５５６３号公報
【発明の開示】
【発明が解決しようとする課題】
【０００５】
しかしながら、特許文献１に記載のデジタルカメラでは、人物の顔が写っている画像のみが対象となっているので、人物の顔が写っていない画像を特定の条件で分類して纏めてプリント注文したいなどといった顧客の幅広いニーズに対応しているとは言い難かった。
【０００６】
本発明は、上記課題を鑑みてなされたものであり、顧客の幅広いニーズに対応したサービスを行うことができるプリント方法、およびプリントシステム、並びにプリンタを提供することを目的とする。
【課題を解決するための手段】
【０００７】
上記目的を達成するために、本発明は、注文に応じて画像のプリントを作成するプリント方法であって、画像のシーンを表す少なくとも１つの抽出条件を含む、画像を分類するための分類条件を指定する指定工程と、画像のデータを解析して、指定された抽出条件のシーンを有する画像を抽出する抽出工程と、抽出された画像をプリントするプリント工程と、分類条件毎にプリントを纏めて袋詰めする袋詰め工程とを備えたことを特徴とする。
【０００８】
前記指定工程では、前記抽出条件として人物の顔が指定可能であり、前記指定工程で人物の顔が指定された場合、前記プリント工程では、前記抽出工程で抽出された人物の顔の中から探索した同一人物毎にプリントを行い、前記袋詰め工程では、前記同一人物毎にプリントを纏めて袋詰めすることが好ましい。
【０００９】
前記指定工程では、前記分類条件として画像のデータに付加された撮影日を指定可能であり、前記指定工程で前記撮影日が指定された場合、前記袋詰め工程では、前記撮影日毎にプリントを纏めて袋詰めすることが好ましい。
【００１０】
前記指定工程では、複数の分類条件を互いに組み合わせて指定可能であり、前記指定工程で複数の分類条件が互いに組み合わせて指定された場合、前記袋詰め工程では、互いに組み合わされた複数の分類条件で抽出された画像のプリントを纏めて袋詰めすることが好ましい。
【００１１】
前記指定工程では、前記分類条件の指定を手動入力により得る、または／および前記分類条件の指定を通信ネットワークを介して受信することが好ましい。
【００１２】
また、本発明は、注文に応じて画像のプリントを作成するプリント部およびプロセッサ部を有するプリントシステムであって、画像のシーンを表す少なくとも１つの抽出条件を含む、画像を分類するための分類条件を指定する指定部と、画像のデータを解析して、指定された抽出条件のシーンを有する画像を抽出する抽出部と、分類条件毎にプリントを纏めて袋詰めする袋詰め部とを備え、前記プリント部および前記プロセッサ部は、前記抽出部で抽出された画像をプリントすることを特徴とする。
【００１３】
前記指定部では、前記抽出条件として人物の顔が指定可能であり、前記指定部で人物の顔が指定された場合、前記プリント部および前記プロセッサ部は、前記抽出部で抽出された人物の顔の中から探索した同一人物毎にプリントを行い、前記袋詰め部は、前記同一人物毎にプリントを纏めて袋詰めすることが好ましい。
【００１４】
前記指定部では、前記分類条件として画像のデータに付加された撮影日を指定可能であり、前記指定部で前記撮影日が指定された場合、前記袋詰め部は、前記撮影日毎にプリントを纏めて袋詰めすることが好ましい。
【００１５】
前記指定部では、複数の分類条件を互いに組み合わせて指定可能であり、前記指定部で複数の分類条件が互いに組み合わせて指定された場合、前記袋詰め部は、互いに組み合わされた複数の分類条件で抽出された画像のプリントを纏めて袋詰めすることが好ましい。
【００１６】
前記指定部は、前記分類条件の指定を手動入力する操作入力部、または／および前記分類条件の指定を通信ネットワークを介して受信する通信部であることが好ましい。
【００１７】
さらに、本発明は、注文に応じて画像のプリントを作成するプリンタであって、画像のシーンを表す少なくとも１つの抽出条件を含む、画像を分類するための分類条件の指定を、通信ネットワークを介して受信する通信部と、画像のデータを解析して、指定された抽出条件のシーンを有する画像を抽出する抽出部と、分類条件毎にプリントを纏めて袋詰めする袋詰め部とを備え、前記抽出部で抽出された画像をプリントすることを特徴とする。
【００１８】
前記抽出条件として人物の顔が指定可能であり、人物の顔が指定された場合、前記抽出部で抽出された人物の顔の中から探索した同一人物毎にプリントを行い、前記袋詰め部は、前記同一人物毎にプリントを纏めて袋詰めすることが好ましい。
【００１９】
前記分類条件として画像のデータに付加された撮影日を指定可能であり、前記撮影日が指定された場合、前記袋詰め部は、前記撮影日毎にプリントを纏めて袋詰めすることが好ましい。
【００２０】
複数の分類条件を互いに組み合わせて指定可能であり、複数の分類条件が互いに組み合わせて指定された場合、前記袋詰め部は、互いに組み合わされた複数の分類条件で抽出された画像のプリントを纏めて袋詰めすることが好ましい。
【００２１】
前記分類条件の指定を手動入力する操作入力部を備えることが好ましい。
【発明の効果】
【００２２】
本発明のプリント方法、およびプリントシステム、並びにプリンタによれば、画像のシーンを表す少なくとも１つの抽出条件を含む、画像を分類するための分類条件を指定部で指定し、画像のデータを解析して、指定された抽出条件のシーンを有する画像を抽出部で抽出して、抽出された画像をプリンタ部およびプロセッサ部でプリントし、分類条件毎にプリントを纏めて袋詰め部で袋詰めするようにしたので、顧客が分類条件を指定するだけで、袋詰めされた所望のプリントを得ることができ、顧客の幅広いニーズに対応したサービスを行うことができる。また、作業者の処理負担を軽減させることができる。
【発明を実施するための最良の形態】
【００２３】
図１において、本発明のプリントシステム２は、画像入力部１０、画像処理部１１、プリンタ部１２、プロセッサ部１３、および袋詰め部１４からなり、街頭のＤＰＥ店やプリントラボなどに設置され、注文に応じたプリントの作成を半自動で行うものである。プリントシステム２の各部１０〜１４は、図示しない配線によって、プロセッサ部１３内の制御部１５に繋がれている。プリントシステム２は、この制御部１５により全体の動作を統括的に制御される。
【００２４】
画像入力部１０は、撮影済みの写真フイルムから、画像の投影光をＣＣＤイメージセンサなどの固体撮像素子で光電的に読み取って、画像データを出力するフイルムスキャナや、メモリカードやＣＤ−Ｒなどの記憶媒体に記憶された画像データを読み出すドライバなどを備えている。この画像入力部１０には、キーボードやマウスなどの操作入力部１６が接続されている。
【００２５】
プリントシステム２は、画像入力部１０で取り込んだ画像データを順次プリントする通常プリントモードに加えて、自動抽出プリントモードを備えている。これらのモードの切り替えは、操作入力部１６の操作により行われる。
【００２６】
自動抽出プリントモードでは、画像のシーンを表す少なくとも１つの抽出条件を含む、画像を分類するための分類条件を、プリント前に操作入力部１６で指定する。抽出条件としては、太陽光下での撮影、屋内撮影、夜景撮影、人物の顔などが指定可能となっている。また、抽出条件以外の分類条件としては、撮影日、撮影場所などが指定可能となっている。これらの分類条件は、別々に指定することは勿論のこと、例えば、太陽光下での撮影＋人物の顔、夜景撮影＋撮影日といったように、互いに組み合わせて指定することも可能である。なお、撮影日は、画像データに添付されるＥｘｉｆタグに記憶された撮影日の情報が利用される。また、撮影場所は、ＧＰＳ機能を備えたデジタルカメラで撮影した画像データのＥｘｉｆタグに記憶された経緯度情報が利用される。
【００２７】
図２に示すように、画像処理部１１は、画像入力部１０で得られた画像データに対して、カラーバランス補正や濃度補正などの各種画像処理を施す画像処理回路５０、および抽出回路５１を有している。画像処理回路５０で各種画像処理が施された画像データは、後述する露光部２０に送信される。
【００２８】
抽出回路５１は、操作入力部１６で自動抽出プリントモードが選択された際に作動する。この抽出回路５１は、画像入力部１０で得られた画像データを解析して、操作入力部１６で指定された抽出条件のシーンを有する画像を抽出する。
【００２９】
例えば、抽出条件として太陽光下での撮影や屋内撮影が指定された場合、抽出回路５１は、画像データの色温度を検出することにより、その画像の照明光が太陽光や蛍光灯であるか否かを判定し、この判定結果に基づいて画像のシーンを判別する。
【００３０】
また、抽出条件として夜景撮影が指定された場合、抽出回路５１は、画像データの輝度値を検出し、検出した輝度値と予め設定された閾値とを比較することで、その画像が夜景撮影であるか否かを判定し、この判定結果に基づいて画像のシーンを判別する。
【００３１】
さらに、抽出条件として人物の顔が指定された場合、抽出回路５１は、例えば、特開平４−３４６３３３号公報、特開平５−１６５１１９号公報、および特開平６−１６０９９３号公報に記載されるように、画像データの各画素の色相・彩度の２次元ヒストグラムに基づいて顔を検出する手法や、特開平８−１２２９４４号公報に記載されるように、人物の顔の内部構造を表す形状パターン、人物の胴体の輪郭を表す形状パターンを各々検出し、人物の顔に相当する領域である確度が最も高い領域を判定する手法、あるいは、特開平９−１３８４７１号公報に記載されるように、被写体のエッジ部分を楕円状に追跡することにより、人物の輪郭に相当すると推定される輪郭線を抽出する手法などを用いて、画像内の人物の顔を検出する。抽出回路５１は、上記のようにして抽出した画像の情報（ファイル名など）を制御部１５に送信する。なお、抽出回路５１で取り扱う画像データは、画像入力部１０のフイルムスキャナでファインスキャンにより取り込んだ画像データを用いてもよいし、プレスキャンで取り込んだものを用いてもよい。
【００３２】
ここで、抽出回路５１として、例えば、特開２００４−６２６０５号公報に記載される、画像から複数のオブジェクト領域を抽出し、オブジェクト領域毎にオブジェクトの種類を識別して、この識別結果を用いて画像のシーンを識別するシーン識別装置を用いれば、上記のように太陽光下での撮影や夜景撮影、人物の顔などの大雑把なシーン判別だけでなく、ポートレート、集合写真、もしくはサッカーのシーン、ゴルフのシーンなどといった細かいシーンを判別することができる。これにより、より細かな幅広い抽出条件の指定を行うことができる。
【００３３】
図１に戻って、プリンタ部１２は、マガジン１７、カッタ１８、裏印字部１９、露光部２０、および振り分け部２１などから構成される。マガジン１７にセットされた帯状の感光材料２２は、プリントサイズに応じてカッタ１８により切断され、カットシート状の感光材料２２ａとなる。この感光材料２２ａは、２点鎖線で示す搬送経路２３に沿って露光部２０に向けて搬送され、その途中で裏印字部１９によって写真の撮影日、プリント日、コマ番号、各種ＩＤなどのプリント情報の印字が行われる。
【００３４】
そして、露光部２０で、画像処理部１１からの画像データに基づいた画像が、感光材料２２ａの受光面に露光記録される。その後、露光済みの感光材料２２ａは、振り分け部２１によって２列に配置され、乳剤面を上側、支持体を下側にしてプロセッサ部１３に搬送される。
【００３５】
プロセッサ部１３は、現像処理部２４、乾燥部２５、およびソータ部２６から構成される。現像処理部２４には、搬送経路２３の上流側（図中左側）から順に、現像槽２７と、漂白定着槽２８と、第１〜第４水洗槽２９〜３２とが設けられている。現像槽２７には現像液が、漂白定着槽２８には漂白定着液が、また、水洗槽２９〜３２には水洗液が所定量貯留されている。プリンタ部１２から搬送された感光材料２２ａは、これら各槽２７〜３２を通過することで、現像、漂白定着、および水洗の各処理が施され、乾燥部２５に搬送される。
【００３６】
乾燥部２５は、搬送ベルトと送風ダクト（ともに図示せず）とから構成されている。乾燥部２５は、搬送ベルトで搬送される感光材料２２ａに、ヒータで熱せられた乾燥風を送風ダクトから吹き付けることにより、感光材料２２ａに残存した水洗液を乾燥させる。
【００３７】
ソータ部２６は、乾燥部２５で乾燥されたプリント２２ａ（以下、乾燥部２５で乾燥された感光材料２２ａをプリント２２ａと表記する。）を注文毎に仕分けして、１つの注文毎に纏めて図示しないトレイに載置する。
【００３８】
袋詰め部１４は、マガジン３３、プリント挿入・シール部３４、および袋取り出し部３５から構成される。袋詰め部１４には、乾燥部２５の下流側で搬送経路２３から分岐した分岐搬送経路３６を経由したプリント２２ａが搬入される。搬送経路２３と分岐搬送経路３６とは、ガイド板（図示せず）などで経路の切り替えがなされる。この分岐搬送経路３６を経由した袋詰め部１４へのプリント２２ａの搬入は、自動抽出プリントモード下で行われる。
【００３９】
マガジン３３には、プリント収納袋ロール３７が装填されている。プリント挿入・シール部３４は、プリント収納袋ロール３７から引き出されたプリント収納袋３８にプリント２２ａを挿入し、プリント収納袋３８の開口を密閉する。袋取り出し部３５には、プリント挿入・シール部３４でプリント２２ａが挿入されて密閉されたプリント収納袋３８が載置され、取り出し口３９からプリント収納袋３８が取り出し可能となっている。なお、プリント挿入・シール部３４には、例えば特開平６−１１８６０４号公報に記載されるプリント袋詰め装置の機構が採用されており、プリント収納袋３８の最上部には、顧客ＩＤ、注文情報、料金、バーコードなどが付記され、プリント収納袋３８内のプリント２２ａの内容を一目で確認することができるようになっている。また、プリント収納袋３８には、内容物であるプリント２２ａの機密性を保持するために、不透明な材料が用いられている。
【００４０】
制御部１５は、抽出回路５１から送信される画像の情報に基づいて、抽出回路５１で抽出された画像のプリント２２ａを順次纏めて作成するように、露光部２０の動作を制御する。また、制御部１５は、搬送経路２３から分岐搬送経路３６に経路を切り替えるとともに、分岐搬送経路３６の搬送系を作動させて、プリント２２ａを袋詰め部１４に搬入させ、分類条件毎に纏めて同一のプリント収納袋３８にプリント２２ａを挿入、密閉するように、袋詰め部１４の動作を制御する。
【００４１】
具体例を挙げて説明すると、例えば、分類条件として太陽光下での撮影と人物の顔とが個別に指定された場合には、まず、太陽光下で撮影された画像のプリント２２ａが纏めて作成され、太陽光下で撮影された画像のプリント２２ａが同一のプリント収納袋３８に袋詰めされた後、人物の顔が写っている画像のプリント２２ａが纏めて作成され、人物の顔が写っている画像のプリント２２ａが同一のプリント収納袋３８に袋詰めされる。
【００４２】
また、例えば、分類条件として夜景撮影＋人物の顔＋撮影日が指定された場合には、夜景撮影＋人物の顔が写っている画像のプリント２２ａが撮影日の順に纏めて作成される。そして、プリント２２ａが撮影日毎に同一のプリント収納袋３８に纏めて袋詰めされる。これにより得られるプリント収納袋３８は、夜景撮影＋人物の顔が写っている画像のプリント２２ａが撮影日毎に区分けされたものとなる。
【００４３】
次に、上記構成を有するプリントシステム２による作用について、図３のフローチャートを参照して説明する。まず、画像入力部１０によりプリントすべき画像データが取り込まれ、取り込まれた画像データが画像処理部１１に出力される。ここで、操作入力部１６により自動抽出プリントモードが選択されていない場合は、通常処理に移行する。
【００４４】
通常処理では、画像処理回路５０にて、画像入力部１０からの画像データに対して各種画像処理が施され、画像処理が施された画像データが露光部２０に送信される。露光部２０では、画像データに基づいた画像が感光材料２２ａの受光面に露光記録される。露光済みの感光材料２２ａは、振り分け部２１によって２列に配置され、プロセッサ部１３に搬送される。
【００４５】
プロセッサ部１３では、露光済みの感光材料２２ａに対して、現像処理部２４で現像、漂白定着、および水洗の各処理が施された後、乾燥部２５で感光材料２２ａが乾燥され、注文毎に仕分けされて、プリント２２ａとしてソータ部２６のトレイに載置される。
【００４６】
一方、自動抽出プリントモードが選択されていた場合は、注文時に顧客が指定した分類条件が、作業者により操作入力部１６から入力される。そして、画像入力部１０で得られた画像データが抽出回路５１により解析され、操作入力部１６で指定された抽出条件のシーンを有する画像が抽出される。抽出回路５１で抽出された画像の情報は、制御部１５に送信される。
【００４７】
露光部２０では、制御部１５の制御の下に、抽出回路５１で抽出された画像のプリント２２ａが纏めて作成される。以降は通常処理と同様に、現像処理部２４で現像、漂白定着、および水洗の各処理が感光材料２２ａに施された後、乾燥部２５で乾燥される。
【００４８】
乾燥後、制御部１５により経路が分岐搬送経路３６に切り替えられ、プリント２２ａが分岐搬送経路３６を経由して袋詰め部１４に搬入される。袋詰め部１４では、制御部１５の制御の下に、プリント挿入・シール部３４で、分類条件毎に同一のプリント収納袋３８にプリント２２ａが挿入、密閉される。
【００４９】
プリント２２ａが挿入、密閉されたプリント収納袋３８は、袋取り出し部３５に載置され、取り出し口３９から取り出される。露光部２０によるプリントの作成から袋詰め部１４による袋詰めまでの処理は、指定された抽出条件の数分繰り返し実行される。
【００５０】
以上詳細に説明したように、プリントシステム２は、画像のシーンを表す少なくとも１つの抽出条件を含む、画像を分類するための分類条件を指定させ、画像のデータを解析して、指定された抽出条件のシーンを有する画像を抽出し、抽出された画像をプリントして、分類条件毎にプリント２２ａを纏めて袋詰めするようにしたので、作業者は特別な仕分けや袋詰め作業をすることなく、プリント収納袋３８に記載されている顧客ＩＤなどの情報を元に、即座に顧客と商品との対応をとることができる。また、注文時に顧客が画像を分類する手間が省ける。このことから、本発明のプリントシステム２は、デジタルカメラのメモリカードの大容量化に伴う記録画像数の増加に適応したものであるといえる。
【００５１】
なお、抽出条件として人物の顔が指定された場合、抽出回路５１で抽出した人物の顔の中から、顔のパーツの特徴などを参照して同一人物の顔を探索し、探索した同一人物毎にプリントを行い、同一人物毎にプリントを纏めて袋詰めするようにしてもよい。つまり、探索された同一人物の顔が、例えば人物Ａ〜Ｃの３人の顔で、人物Ａは１０枚、人物Ｂは５枚、人物Ｃは３枚の画像にそれぞれ写っていた場合は、人物Ａが写っている１０枚の画像のプリント２２ａを纏めて作成した後、人物Ｂが写っている５枚の画像のプリント２２ａを纏めて作成し、最後に人物Ｃが写っている３枚の画像のプリント２２ａを作成する。そして、袋詰め部１４で、人物Ａ、Ｂ、Ｃ毎に、プリント２２ａを同一のプリント収納袋３８に袋詰めする。これにより、従来のように、人物が写っている画像を顧客がピックアップして、画像内の人数をカウントして枚数指定したり、プリント受け取り後に個々人に手渡す際に仕分けしたりする手間が省ける。
【００５２】
また、取り出し口３９を複数用意しておき、指定された分類条件に応じてプリント収納袋３８を振り分けるようにしてもよい。このようにすると、分類条件毎にプリント収納袋３８を仕分ける必要がなくなり、さらに作業者の手間を省くことができる。
【００５３】
上記実施形態では、自動抽出プリントモードにおいて、抽出回路５１で抽出された画像のみをプリントするようにしているが、抽出回路５１で抽出されなかった画像も通常と同様にプリントして、ソータ部２６に集積するようにしてもよい。
【００５４】
上記実施形態では、分類条件として撮影日が指定された場合、撮影日の順にプリント２２ａを作成しているが、順不同でプリント２２ａを作成し、袋詰め部１４などで、撮影日毎にプリント２２ａを機械的に振り分けるようにしてもよい。また、抽出条件が２つ以上指定された場合も、抽出条件毎にプリント、袋詰めを行う必要はなく、上記の場合と同様に順不同でプリント２２ａを作成し、機械的に振り分けるようにしてもよい。
【００５５】
上記実施形態では、注文時に顧客が指定した分類条件を、作業者が操作入力部１６に入力する態様を例示して説明したが、本発明はこれに限定されず、プリント注文を行うためのインターネット上のホームページに顧客が自宅のパソコンからアクセスし、パソコンを使って分類条件を指定してインターネット経由で注文を行う場合も含む。この場合、図４に示すプリントシステム６０のように、インターネットに接続してデータの遣り取りを媒介する通信部６１が必要となる。このようにすると、顧客がＤＰＥ店に出向いて注文をする手間が省け、作業者が操作入力部１６に分類条件を入力する必要がなくなる。
【００５６】
なお、上記実施形態で挙げた袋詰め部１４の構造や、抽出回路５１による抽出の手法は一例であり、本発明を特に限定するものではない。また、抽出条件や分類条件も、プリントシステム２の仕様に応じて適宜変更することが可能である。
【図面の簡単な説明】
【００５７】
【図１】プリントシステムの構成を示す概略図である。
【図２】画像処理部の内部構成を示すブロック図である。
【図３】プリントシステムの処理手順を示すフローチャートである。
【図４】プリントシステムの別の実施形態を示す概略図である。
【符号の説明】
【００５８】
２、６０  プリントシステム
１１  画像処理部
１２  プリンタ部
１３  プロセッサ部
１４  袋詰め部
１５  制御部
１６  操作入力部
２２ａ  感光材料（プリント）
３４  プリント挿入・シール部
３６  分岐搬送経路
３８  プリント収納袋
５１  抽出回路
６１  通信部
【図１】
2007121739.tif 000003
【図２】
2007121739.tif 000004
【図３】
2007121739.tif 000005
【図４】
2007121739.tif 000006